(57)【要約】【課題】管理装置からの要請情報が住戸に届きやすく、また、住戸の家人においては要請情報に対する積極的な協力が得られやすくなる資源管理システムを提供する。【解決手段】住戸機６は、管理装置２で要請情報が発生すると、この要請情報をメータ４で計測された電力量である計測情報と併せて取得して表示するように構成されている。住戸機６は、管理装置２を始点としてメータ４および分電盤５を経由する第１の経路と、メータ４を始点として管理装置２および通信制御装置３を経由する第２の経路とのいずれかの経路で、要請情報および計測情報を取得する。すなわち、資源管理システム１は、管理装置２、メータ４、分電盤５、住戸機６の順にデータが伝送される第１の経路と、メータ４、管理装置２、通信制御装置３、住戸機６の順にデータが伝送される第２の経路とを含んでいる。【選択図】図１
2014150456.tif 000002
【特許請求の範囲】
【請求項１】
外部から供給される資源を消費する住戸が複数存在する集合住宅に用いられ、
前記資源の消費を抑制するための要請である要請情報を出す管理装置と、
前記住戸ごとに設けられ当該住戸での前記資源の消費量を計測して当該計測結果を表す計測情報を出すメータと、
前記住戸ごとに設けられた分電盤と、
前記住戸ごとに設けられ表示機能を有する住宅情報盤と、
前記複数の前記住戸の前記住宅情報盤が接続された構内通信網に接続される通信制御装置とを備え、
前記通信制御装置は、第１通信路を介して前記管理装置と通信可能に構成され、
前記管理装置は、第２通信路を介して前記メータと通信可能に構成され、
前記メータは、第３通信路を介して前記分電盤と通信可能に構成され、
前記分電盤は、第４通信路を介して前記住宅情報盤と通信可能に構成され、
前記住宅情報盤は、前記管理装置を始点として前記メータおよび前記分電盤を経由する第１の経路と、前記メータを始点として前記管理装置および前記通信制御装置を経由する第２の経路とのいずれかの経路で、前記要請情報と前記計測情報とを併せて取得して表示するように構成されている
ことを特徴とする資源管理システム。
【請求項２】
外部から供給される資源を消費する住戸が複数存在する集合住宅に用いられ、
前記資源の消費を抑制するための要請である要請情報を出す管理装置と、
前記住戸ごとに設けられ当該住戸での前記資源の消費量を計測して当該計測結果を表す計測情報を出すメータと、
前記住戸ごとに設けられ当該住戸の機器を制御するコントローラと、
前記住戸ごとに設けられ表示機能を有する住宅情報盤と、
前記複数の前記住戸の前記住宅情報盤が接続された構内通信網に接続される通信制御装置とを備え、
前記通信制御装置は、第１通信路を介して前記管理装置と通信可能に構成され、
前記メータは、第２通信路を介して前記管理装置と通信可能に構成され、
前記管理装置は、公衆網を含む第５通信路を介して前記コントローラと通信可能に構成され、
前記コントローラは、第６通信路を介して前記住宅情報盤と通信可能に構成され、
前記住宅情報盤は、前記メータを始点として前記管理装置および前記コントローラを経由する第１の経路と、前記メータを始点として前記管理装置および前記通信制御装置を経由する第２の経路とのいずれかの経路で、前記要請情報と前記計測情報とを併せて取得して表示するように構成されている
ことを特徴とする資源管理システム。
【請求項３】
外部から供給される資源を消費する住戸が複数存在する集合住宅に用いられ、
前記資源の消費を抑制するための要請である要請情報を出す管理装置と、
前記住戸ごとに設けられ当該住戸での前記資源の消費量を計測して当該計測結果を表す計測情報を出すメータと、
前記住戸ごとに設けられた分電盤と、
前記住戸ごとに設けられ当該住戸の機器を制御するコントローラと、
前記住戸ごとに設けられ表示機能を有する住宅情報盤とを備え、
前記管理装置は、第２通信路を介して前記メータと通信可能に構成され、
前記メータは、第３通信路を介して前記分電盤と通信可能に構成され、且つ、第７通信路を介して前記コントローラと通信可能に構成され、
前記分電盤は、第８通信路を介して前記コントローラと通信可能に構成され、
前記コントローラは、第６通信路を介して前記住宅情報盤と通信可能に構成され、
前記住宅情報盤は、前記管理装置を始点として前記メータ、前記分電盤、前記コントローラを経由する第１の経路と、前記管理装置を始点として前記メータおよび前記コントローラを経由する第２の経路とのいずれかの経路で、前記要請情報と前記計測情報とを併せて取得して表示するように構成されている
ことを特徴とする資源管理システム。
【請求項４】
前記資源は電力であって、
前記分電盤は、分岐系統ごとに前記資源の消費量を計測する計測器を有し、
前記住宅情報盤は、前記第１の経路で前記要請情報および前記計測情報を取得する場合、前記分電盤からの前記計測器の計測結果を表す個別計測情報を、前記要請情報および前記計測情報と併せて取得して表示するように構成されている
ことを特徴とする請求項１または３に記載の資源管理システム。
【請求項５】
前記第４通信路は無線信号を伝送媒体とする無線通信路からなることを特徴とする請求項１に記載の資源管理システム。
【請求項６】
前記第１の経路と前記第２の経路とには予め優先順位が決められており、
前記管理装置は、優先順位が高い方の経路での前記要請情報および前記計測情報の送信に失敗すると、優先順が低い方の経路で前記要請情報および前記計測情報を送信する経路切替部を有する
ことを特徴とする請求項１〜５のいずれか１項に記載の資源管理システム。
【発明の詳細な説明】
【技術分野】
【０００１】
本発明は、電力、ガス、水道、熱などの資源を消費する住戸が複数存在する集合住宅に用いられ、各住戸で消費される資源を管理する資源管理システムに関する。
【背景技術】
【０００２】
従来から、集合住宅において、各住戸での資源（供給媒体）の消費量を、集合住宅の外部にある管理装置で管理する遠隔検針システムが提案されている（たとえば特許文献１参照）。
【０００３】
特許文献１に記載のシステムは、各住戸の電力メータで電力量を計測し、各住戸の検針端末が、電力メータの検針情報を各住戸の住戸端末に伝送するように構成されている。住戸端末は、表示器を備えており、検針情報を受け取ることによって検針情報を表示器に提示することができる。
【０００４】
さらに、住戸端末は、集合住宅に敷設された構内通信網を介して、管理人室などに配置された集約装置と通信可能であって、検針端末から取得した検針情報を、既存の構内通信網を利用して集約装置に転送する。集約装置は、集合住宅の各住戸に設けられている電力メータがそれぞれ計量した検針情報を集約し、インターネットのような公衆網を通して検針情報を外部の管理装置に転送する。
【先行技術文献】
【特許文献】
【０００５】
【特許文献１】特開２０１２−３９３１４号公報
【発明の概要】
【発明が解決しようとする課題】
【０００６】
ところで、近年、電力消費に関して、需要家側の電力消費を供給側がある程度制御することにより電力需給の協調を実現するデマンドサイドマネジメント（ＤＳＭ：demand sidemanagement）が注目されている。ＤＳＭを実現する方式として、たとえば電力会社側の管理装置から住戸端末に電力の消費を抑制するための要請である要請情報を送信し、住戸端末に要請情報を表示させることが考えられている。
【０００７】
この場合、特許文献１に記載のシステムのように既存の構内通信網を管理装置と住戸端末との通信に利用することが考えられる。ただし、構内通信網には複数戸分の住戸端末が接続されており、構内通信網は要請情報の伝送以外にも使用されているので、構内通信網に輻輳が発生して要請情報が住戸に届かない可能性がある。
【０００８】
また、住戸端末が、外部の管理装置から一方的に送られてくる要請情報を表示するだけでは、住戸の家人においては、資源をどれだけ無駄に消費しているかを把握しにくく、要請情報に対する積極的な協力が得られにくい。
【０００９】
本発明は上記事由に鑑みて為されており、管理装置からの要請情報が住戸に届きやすく、また、住戸の家人においては要請情報に対する積極的な協力が得られやすくなる資源管理システムを提供することを目的とする。
【課題を解決するための手段】
【００１０】
本発明の資源管理システムは、外部から供給される資源を消費する住戸が複数存在する集合住宅に用いられ、前記資源の消費を抑制するための要請である要請情報を出す管理装置と、前記住戸ごとに設けられ当該住戸での前記資源の消費量を計測して当該計測結果を表す計測情報を出すメータと、前記住戸ごとに設けられた分電盤と、前記住戸ごとに設けられ表示機能を有する住宅情報盤と、前記複数の前記住戸の前記住宅情報盤が接続された構内通信網に接続される通信制御装置とを備え、前記通信制御装置は、第１通信路を介して前記管理装置と通信可能に構成され、前記管理装置は、第２通信路を介して前記メータと通信可能に構成され、前記メータは、第３通信路を介して前記分電盤と通信可能に構成され、前記分電盤は、第４通信路を介して前記住宅情報盤と通信可能に構成され、前記住宅情報盤は、前記管理装置を始点として前記メータおよび前記分電盤を経由する第１の経路と、前記メータを始点として前記管理装置および前記通信制御装置を経由する第２の経路とのいずれかの経路で、前記要請情報と前記計測情報とを併せて取得して表示するように構成されていることを特徴とする。
【００１１】
また、本発明の資源管理システムは、外部から供給される資源を消費する住戸が複数存在する集合住宅に用いられ、前記資源の消費を抑制するための要請である要請情報を出す管理装置と、前記住戸ごとに設けられ当該住戸での前記資源の消費量を計測して当該計測結果を表す計測情報を出すメータと、前記住戸ごとに設けられ当該住戸の機器を制御するコントローラと、前記住戸ごとに設けられ表示機能を有する住宅情報盤と、前記複数の前記住戸の前記住宅情報盤が接続された構内通信網に接続される通信制御装置とを備え、前記通信制御装置は、第１通信路を介して前記管理装置と通信可能に構成され、前記メータは、第２通信路を介して前記管理装置と通信可能に構成され、前記管理装置は、公衆網を含む第５通信路を介して前記コントローラと通信可能に構成され、前記コントローラは、第６通信路を介して前記住宅情報盤と通信可能に構成され、前記住宅情報盤は、前記メータを始点として前記管理装置および前記コントローラを経由する第１の経路と、前記メータを始点として前記管理装置および前記通信制御装置を経由する第２の経路とのいずれかの経路で、前記要請情報と前記計測情報とを併せて取得して表示するように構成されていることを特徴とする。
【００１２】
また、本発明の資源管理システムは、外部から供給される資源を消費する住戸が複数存在する集合住宅に用いられ、前記資源の消費を抑制するための要請である要請情報を出す管理装置と、前記住戸ごとに設けられ当該住戸での前記資源の消費量を計測して当該計測結果を表す計測情報を出すメータと、前記住戸ごとに設けられた分電盤と、前記住戸ごとに設けられ当該住戸の機器を制御するコントローラと、前記住戸ごとに設けられ表示機能を有する住宅情報盤とを備え、前記管理装置は、第２通信路を介して前記メータと通信可能に構成され、前記メータは、第３通信路を介して前記分電盤と通信可能に構成され、且つ、第７通信路を介して前記コントローラと通信可能に構成され、前記分電盤は、第８通信路を介して前記コントローラと通信可能に構成され、前記コントローラは、第６通信路を介して前記住宅情報盤と通信可能に構成され、前記住宅情報盤は、前記管理装置を始点として前記メータ、前記分電盤、前記コントローラを経由する第１の経路と、前記管理装置を始点として前記メータおよび前記コントローラを経由する第２の経路とのいずれかの経路で、前記要請情報と前記計測情報とを併せて取得して表示するように構成されていることを特徴とする。
【００１３】
この資源管理システムにおいて、前記資源は電力であって、前記分電盤は、分岐系統ごとに前記資源の消費量を計測する計測器を有し、前記住宅情報盤は、前記第１の経路で前記要請情報および前記計測情報を取得する場合、前記分電盤からの前記計測器の計測結果を表す個別計測情報を、前記要請情報および前記計測情報と併せて取得して表示するように構成されていることが望ましい。
【００１４】
この資源管理システムにおいて、前記第４通信路は無線信号を伝送媒体とする無線通信路からなることが望ましい。
【００１５】
この資源管理システムにおいて、前記第１の経路と前記第２の経路とには予め優先順位が決められており、前記管理装置は、優先順位が高い方の経路での前記要請情報および前記計測情報の送信に失敗すると、優先順が低い方の経路で前記要請情報および前記計測情報を送信する経路切替部を有することがより望ましい。
【発明の効果】
【００１６】
本発明は、住宅情報盤が、第１の経路と第２の経路とのいずれかで、要請情報と計測情報とを併せて取得して表示するので、管理装置からの要請情報が住戸に届きやすく、住戸の家人においては要請情報に対する積極的な協力が得られやすくなるという利点がある。
【図面の簡単な説明】
【００１７】
【図１】資源管理システムの概略構成を示すシステム構成図である。
【図２】実施形態１に係る資源管理システムの動作の説明図である。
【図３】実施形態２に係る資源管理システムの動作の説明図である。
【図４】実施形態３に係る資源管理システムの動作の説明図である。
【発明を実施するための形態】
【００１８】
以下の実施形態では、外部の供給事業者から供給される資源を消費する住戸が複数存在する集合住宅に用いられ、各住戸で消費される資源を管理する資源管理システムについて説明する。ここで、資源は、たとえば電力、ガス、水道、熱などであって、電力であれば電力会社が供給事業者となり、ガスであればガス会社が供給事業者となり、水道であれば水道事業者が供給事業者となる。以下では、資源が電力である場合を例として説明するが、電力に限らず、電力以外の資源の管理についても資源管理システムを適用することは可能である。
【００１９】
資源管理システム１は、図１に示すように、集合住宅１００の外部に設けられた管理装置２と、集合住宅１００内に設けられた通信制御装置３とを備えている。さらに、資源管理システム１は、集合住宅１００の住戸１０１ごとに設けられたメータ４と、分電盤５と、住戸機（住宅情報盤）６と、コントローラ７とを備えている。ここでは１戸の住戸１０１についてのみ説明するが、集合住宅１００における複数の住戸１０１の各々には、メータ４と分電盤５と住戸機６とコントローラ７との全てが同様に設けられている。
【００２０】
ここにおいて、管理装置２と通信制御装置３とメータ４と分電盤５と住戸機６とコントローラ７とは、１つの通信ネットワークを構築している。すなわち、通信制御装置３は、第１通信路１１を介して管理装置２と通信可能に構成され、管理装置２は、第２通信路１２を介してメータ４と通信可能に構成されている。メータ４は、第３通信路１３を介して分電盤５と通信可能に構成され、分電盤５は、第４通信路１４を介して住戸機６と通信可能に構成されている。
【００２１】
さらに、管理装置２は、第５通信路１５を介してコントローラ７と通信可能に構成され、コントローラ７は、第６通信路１６を介して住戸機６と通信可能に構成されている。また、メータ４は、第７通信路１７を介してコントローラ７と通信可能に構成され、分電盤５は第８通信路１８を介してコントローラ７と通信可能に構成されている。なお、第５通信路１５には、公衆網１５１の他、ルータ１５２を含んでいる。
【００２２】
ここでは、第１通信路１１は光ファイバ等を用いた専用回線、第２通信路１２および第３通信路１３は電力線を伝送媒体に用いて通信を行う電力線搬送通信（ＰＬＣ：Power LineCommunications）によってそれぞれ実現されている。第５通信路１５はインターネットのような公衆網１５１、第４通信路１４と第６通信路１６と第７通信路１７と第８通信路１８とは特定小電力（９００ＭＨｚ）のような無線信号を伝送媒体とする無線通信路によってそれぞれ実現されている。プロトコルの異なる２つの通信路間にある装置、たとえば第３通信路１３−第４通信路１４間にある分電盤５は、データを転送する際に両通信路間で通信のプロトコルを変換する機能を持つ。
【００２３】
ただし、この例に限らず、各通信路（１１〜１８）は、Ｗｉ−Ｆｉ（登録商標）やＢｌｕｅｔｏｏｔｈ（登録商標）あるいは特定小電力（９００ＭＨｚ）のような無線通信路であってもよいし、有線の通信路であってもよく、また中継器を含んでいてもよい。なお、有線通信には電力線搬送通信を含む。
【００２４】
以下に、管理装置２、通信制御装置３、メータ４、分電盤５、住戸機６、コントローラ７の各々の構成について図１を参照して説明する。
【００２５】
管理装置２は、コンピュータからなり、供給事業者である電力会社、あるいは電力会社に代わって節電に係る管理や支援を行う節電事業者（節電アグリゲータ）によって運営されている。ここで、管理装置２は、１つの集合住宅１００だけでなく複数の集合住宅１００並びにその他の電力需要家を自らの管理下とし、自らの管理下にある住戸１０１のメータ４の計測情報を定期的に収集する遠隔検針の機能を持つ。さらに、この管理装置２は、自らの管理下にある住戸１０１に対し、資源（ここでは電力）の消費を抑制するための要請である要請情報を出す機能を持つ。
【００２６】
この管理装置２は、第１通信インタフェース（以下、インタフェースを「Ｉ／Ｆ」と表記する）２１と、第２通信Ｉ／Ｆ２２と、第３通信Ｉ／Ｆ２３との３つの通信Ｉ／Ｆを有している。第１通信Ｉ／Ｆ２１は、メータ４との間に第２通信路１２を形成する。第２通信Ｉ／Ｆ２２は、通信制御装置３との間に第１通信路１１を形成する。第３通信Ｉ／Ｆ２３は、コントローラ７との間に第５通信路１５を形成する。さらに、管理装置２は、これらの通信Ｉ／Ｆと共に、上述した遠隔検針の機能や要請情報を出す機能を実現する処理部２４と、後述する経路切替部２５とを有している。
【００２７】
また、管理装置２は多数の住戸１０１を管理下としているので、１台の管理装置２に対して多数のメータ４が接続されることになる。そこで、管理装置２−メータ４間の第２通信路１２は、管理装置２の管理下にあるメータ４を複数台ずつに分けて統括する親機（図示せず）を含んでいてもよい。親機は、たとえば集合住宅１００ごとに設けられ、集合住宅１００内の全てのメータ４からの計測情報を集約して管理装置２に送信したり、管理装置２からの要請情報を集合住宅１００内の全ての住戸１０１に送信したりする。
【００２８】
通信制御装置３は、複数の住戸１０１の住戸機６が接続された構内通信網８に接続されている。構内通信網８は、集合住宅１００に予め付設されており、幹線８１からそれぞれ分岐器８３を介して分岐された複数の分岐線８２の各々に、各住戸１０１の住戸機６が接続されている。構内通信網８を用いた通信はデジタル伝送方式である。構内通信網８で用いられるプロトコルとして、有線通信で一般的に用いられているＥｔｈｅｒｎｅｔ（登録商標）、光通信網などの情報ネットワーク通信網、住戸機６に用いる専用配線網などが適宜用いられる。
【００２９】
ここでは、通信制御装置３は、制御装置３１とゲートウェイ３２とからなる。制御装置３１は、集合住宅１００の共用スペースに設置されたロビーインターホン（図示せず）が接続され、構内通信網８を用いた集合住宅１００の内部でのロビーインターホン−住戸機６間の通信、あるいは住戸機６同士の通信を制御する。ゲートウェイ３２は、制御装置３１と、集合住宅１００の外部にある管理装置２との間で通信を可能にする。
【００３０】
具体的には、制御装置３１は、構内通信網８を介して住戸機６に接続され住戸機６との間で通信を行う第１通信Ｉ／Ｆ３１１、およびゲートウェイ３２との間で通信を行う第２通信Ｉ／Ｆ３１２を有している。ゲートウェイ３２は、制御装置３１との間で通信を行う第１通信Ｉ／Ｆ３２１、および管理装置２の第２通信Ｉ／Ｆ２２との間に第１通信路１１を形成する第２通信Ｉ／Ｆ３２２を有している。
【００３１】
メータ４は、各住戸１０１のメータボックス内に収納されており、自住戸１０１での資源（電力）の消費量（電力量）を計測する電力メータである。ここでは、メータ４は、いわゆるスマートメータであって、計測した電力量を計測情報として管理装置１に通知する機能を有している。
【００３２】
このメータ４は、第１通信Ｉ／Ｆ４１と、第２通信Ｉ／Ｆ４２と、第３通信Ｉ／Ｆ４３との３つの通信Ｉ／Ｆを有している。第１通信Ｉ／Ｆ４１は、管理装置２の第１通信Ｉ／Ｆ２１との間に第２通信路１２を形成する。第２通信Ｉ／Ｆ４２は、分電盤５との間に第３通信路１３を形成する。第３通信Ｉ／Ｆ４３は、コントローラ７との間に第７通信路１７を形成する。さらに、メータ４は、電力量を計測し計測情報を生成する計測部４４を有している。
【００３３】
分電盤５は、住戸１０１ごとに設けられており、商用電源に接続される主幹系統に挿入された主幹ブレーカ（図示せず）と、主幹ブレーカの二次側から分岐する複数の分岐系統ごとに挿入された分岐ブレーカ（図示せず）とを有している。ここでいう分岐系統には、屋内配線に接続される種々の機器４の他、コンセント、壁スイッチ等の配線器具を含む。
【００３４】
また、この分電盤５は、第１通信Ｉ／Ｆ５１と、第２通信Ｉ／Ｆ５２と、第３通信Ｉ／Ｆ５３との３つの通信Ｉ／Ｆを有している。第１通信Ｉ／Ｆ５１は、メータ４の第２通信Ｉ／Ｆ４２との間に第３通信路１３を形成する。第２通信Ｉ／Ｆ５２は、住戸機６との間に第４通信路１４を形成する。第３通信Ｉ／Ｆ５３は、コントローラ７との間に第８通信路１８を形成する。さらに、分電盤５は、分岐系統ごとに資源（電力）の消費量（電力量）を計測する計測ユニット（計測器）５４を有している。なお、第１通信Ｉ／Ｆ５１と、第２通信Ｉ／Ｆ５２と、第３通信Ｉ／Ｆ５３とは通信アダプタとしてユニット化され、計測ユニット５４と共に分電盤５内に収納される。
【００３５】
住戸機６は、住戸１０１ごとに設けられており、インターホン機能並びに各種情報の表示機能を有する住宅情報盤である。つまり、住戸機６は、ロビーインターホンや、各住戸１０１に設置されたドアホン子機（図示せず）と通信したり、各住戸１０１に設置された火災感知器等の各種の感知器（図示せず）の感知結果を表示したりする機能を有する。
【００３６】
この住戸機６は、第１通信Ｉ／Ｆ６１と、第２通信Ｉ／Ｆ６２と、第３通信Ｉ／Ｆ６３との３つの通信Ｉ／Ｆを有している。第１通信Ｉ／Ｆ６１は、構内通信網８を介して制御装置３１の第１通信Ｉ／Ｆ３１１に接続され通信制御装置３との間で通信を行う。第２通信Ｉ／Ｆ６２は、分電盤５の第２通信Ｉ／Ｆ５２との間に第４通信路１４を形成する。第３通信Ｉ／Ｆ６３は、コントローラ７との間に第６通信路１６を形成する。さらに、住戸機６は、液晶ディスプレイからなり各種の情報を表示する表示器６４を有している。
【００３７】
コントローラ７は、住戸１０１ごとに設けられており、この住戸１０１の機器９を制御する機能を持つ。ここでは、コントローラ７は、ＨＥＭＳ（Home Energy Management System）のコントロールユニットであって、分電盤５の計測ユニット５４の計測結果を機器９に表示させ可視化したり、管理装置２からの要求に応じて機器９の動作を制御したりする機能を備えている。
【００３８】
このコントローラ７は、第１通信Ｉ／Ｆ７１と、第２通信Ｉ／Ｆ７２と、第３通信Ｉ／Ｆ７３と、第４通信Ｉ／Ｆ７４と、第５通信Ｉ／Ｆ７５との５つの通信Ｉ／Ｆを有している。第１通信Ｉ／Ｆ７１は、ルータ１５２を介して公衆網１５１に接続されており、管理装置２の第３通信Ｉ／Ｆ２３との間に第５通信路１５を形成する。第２通信Ｉ／Ｆ７２は、住戸機６の第３通信Ｉ／Ｆ６３との間に第６通信路１６を形成する。第３通信Ｉ／Ｆ７３は、機器９との間で、特定小電力（９００ＭＨｚ）のような無線通信を行う。第４通信Ｉ／Ｆ７４は、メータ４の第３通信Ｉ／Ｆ４３との間に第７通信路１７を形成する。第５通信Ｉ／Ｆ７５は、分電盤５の第３通信Ｉ／Ｆ５３との間に第８通信路１８を形成する。
【００３９】
ところで、この資源管理システム１では、住戸機６は、管理装置２の処理部２４で要請情報が発生すると、この要請情報を管理装置２から取得して表示器６４に表示するように構成されている。さらに、この資源管理システム１では、住戸機６は、メータ４で計測された資源の消費量（ここでは電力量）を、計測情報として管理装置２からの要請情報と併せて取得して表示器６４に表示するように構成されている。
【００４０】
しかも、住戸機６は、これら要請情報および計測情報を、唯一の経路で取得するのではなく、第１の経路と第２の経路との２つの経路を組み合わせて採用し、これら２つの経路のうちのいずれかの経路で取得するように構成されている。
【００４１】
したがって、この資源管理システム１によれば、第１の経路と第２の経路とのうち一方の経路に輻輳などの不具合が生じても、他方の経路を使って管理装置２から住戸機６へ要請情報を送信でき、管理装置２からの要請情報が住戸１０１に届きやすい。
【００４２】
また、住戸機６は、要請情報と併せてメータ４からの計測情報を取得し、これら要請情報および計測情報を表示器６４に表示するので、住戸１０１の家人に対して住戸１０１での資源（電力）の消費状況を通知することができる。そのため、外部の管理装置２から一方的に送られてくる要請情報を表示するだけの場合に比べ、住戸１０１の家人においては、資源をどれだけ無駄に消費しているかを把握しやすく、要請情報に対する積極的な協力が得られやすくなる。
【００４３】
結果的に、管理装置２からの要請情報が住戸１０１に届きやすく、また、住戸１０１の家人においては要請情報に対する積極的な協力が得られやすくなる資源管理システムを提供することができる。
【００４４】
ここにおいて、住戸機６が要請情報および計測情報を取得する経路の組み合わせとしては幾つか考えられるので、以下の各実施形態にそれぞれの組み合わせについて説明する。
【００４５】
（実施形態１）
本実施形態では、住戸機６は、図２に示すように、管理装置２を始点としてメータ４および分電盤５を経由する第１の経路と、メータ４を始点として管理装置２および通信制御装置３を経由する第２の経路とのいずれかの経路で、要請情報および計測情報を取得する。
【００４６】
すなわち、本実施形態の資源管理システム１は、管理装置２、メータ４、分電盤５、住戸機６の順にデータが伝送される第１の経路と、メータ４、管理装置２、通信制御装置３、住戸機６の順にデータが伝送される第２の経路とを含んでいる。
【００４７】
まず、図２に「Ａ」で示した第１の経路（実線矢印で表す）について説明する。第１の経路においては、管理装置２は、処理部２４（図１参照）で要請情報が発生すると、この要請情報を含むパケットを、管理下の住戸１０１のメータ４に第２通信路１２を介してマルチキャスト送信する。メータ４は、管理装置２からの要請情報を含むパケットを受信すると、自身の計測部４４で生成された計測情報をこのパケットに付加し、このパケットを自住戸１０１の分電盤５に第３通信路１３を介して送信する。分電盤５は、要請情報および計測情報を含むパケットを受信すると、このパケットを自住戸１０１の住戸機６に第４通信路１４を介して送信する。これにより、住戸機６は、管理装置２からの要請情報と自住戸１０１のメータ４からの計測情報とをまとめて取得できる。
【００４８】
次に、図２に「Ｂ」で示した第２の経路（破線矢印で表す）について説明する。第２の経路においては、メータ４が起点となり計測部４４で生成された計測情報を管理装置２に第２通信路１２を介して送信する。ここで、メータ４は、計測情報を管理装置２に対して定期的に送信しており、その送信周期は、たとえば５分、１０分、１５分等、適宜設定されている。管理装置２は、メータ４から受信した計測情報を、このメータ４に固有の識別子（メータ番号）に対応付けて一定期間分（たとえば１ヶ月分）メモリ（図示せず）に記憶する。
【００４９】
管理装置２は、処理部２４（図１参照）で要請情報が発生すると、メータ４から受信した最新の計測情報に要請情報を付加したパケットを住戸１０１ごとに生成し、このパケットを集合住宅１００の通信制御装置３に第１通信路１１を介して送信する。このとき、管理装置２は、パケットの宛先を、計測情報の送信元である住戸１０１の住戸機６としてパケットを送信する。具体的には、管理装置２は、各住戸１０１のメータ４を識別子（メータ番号）によって識別し、各住戸１０１の住戸機６についても識別子（アドレス）によって識別する。さらに、管理装置２は、管理下の全住戸１０１について、住戸１０１ごとにメータ４と住戸機６とを識別子によって対応付けたテーブルを予めメモリに記憶している。そして、管理装置２は、計測情報の送信元であるメータ４に対応した住戸機６のアドレスを宛先情報とするパケットを、通信制御装置３に送信する。
【００５０】
通信制御装置３は、要請情報および計測情報を含むパケットを受信すると、このパケットを、その宛先情報が示す住戸機６に構内通信網８を介して送信する。これにより、住戸機６は、管理装置２からの要請情報と自住戸１０１のメータ４からの計測情報とをまとめて取得できる。
【００５１】
以上説明した本実施形態の資源管理システム１によれば、たとえばメータ４−分電盤５間の第３通信路１３あるいは分電盤５−住戸機６間の第４通信路１４に輻輳などの不具合が生じても、第２の経路を使って管理装置２から住戸機６へ要請情報を送信できる。また、この資源管理システム１は、管理装置２−通信制御装置３間の第１通信路１１あるいは通信制御装置３−住戸機６間の構内通信網８に輻輳などの不具合が生じても、第１の経路を使って管理装置２から住戸機６へ要請情報を送信できる。したがって、この資源管理システム１は、管理装置２−住戸機６間の通信路の一部に、輻輳が生じやすい構内通信網８を用いたとしても、管理装置２からの要請情報が住戸１０１に届きやすくなる。
【００５２】
さらに、分電盤５−住戸機６間の第４通信路１４は無線通信路からなるので、住戸１０１において分電盤５と住戸機６との間に特別な配線処理が不要であり、資源管理システム１の導入が容易になる。
【００５３】
また、本実施形態においては、住戸機６は、第１の経路で要請情報および計測情報を取得する場合、分電盤５からの計測ユニット５４の計測結果を表す個別計測情報を、要請情報および計測情報と併せて取得して表示器６４に表示するように構成されていてもよい。すなわち、分電盤５は、計測ユニット５４にて分岐系統ごとに資源（電力）の消費量（電力量）を計測しているので、計測ユニット５４にて計測された分岐系統ごとの電力量を、個別計測情報としてパケットに付加することができる。
【００５４】
これにより、住戸機６は、要請情報と併せて、住戸１０１全体で消費した電力量を表す計測情報だけでなく、分岐系統ごとの電力量を個別に表す個別計測情報を表示するので、住戸１０１の家人に対して、住戸１０１での電力の消費状況をより細かく通知できる。しかも、分電盤５は、パケットを転送する際に個別計測情報を付加するので、住戸機６は、要請情報と計測情報と個別計測情報とをまとめて取得できる。
【００５５】
（実施形態２）
本実施形態では、住戸機６は、図３に示すようにメータ４を始点として管理装置２およびコントローラ７を経由する第１の経路と、メータ４を始点として管理装置２および通信制御装置３を経由する第２の経路とのいずれかで、要請情報および計測情報を取得する。
【００５６】
すなわち、本実施形態の資源管理システム１は、メータ４、管理装置２、コントローラ７、住戸機６の順にデータが伝送される第１の経路と、メータ４、管理装置２、通信制御装置３、住戸機６の順にデータが伝送される第２の経路とを含んでいる。図３に「Ｂ」で示した第２の経路（破線矢印で表す）については、実施形態１と同一であるから、ここでは説明を省略する。
【００５７】
以下、図３に「Ａ」で示した第１の経路（実線矢印で表す）について説明する。第１の経路においては、メータ４が起点となり計測部４４で生成された計測情報を管理装置２に第２通信路１２を介して送信する。ここで、メータ４は、計測情報を管理装置２に対して定期的に送信しており、その送信周期は、たとえば５分、１０分、１５分等、適宜設定されている。管理装置２は、メータ４から受信した計測情報を、このメータ４に固有の識別子（メータ番号）に対応付けてメモリ（図示せず）に記憶する。
【００５８】
管理装置２は、処理部２４（図１参照）で要請情報が発生すると、メータ４から受信した最新の計測情報に要請情報を付加したパケットを住戸１０１ごとに生成し、このパケットをコントローラ７に第５通信路１５を介して送信する。このとき、管理装置２は、パケットの宛先を、計測情報の送信元である住戸１０１のコントローラ７としてパケットを送信する。具体的には、管理装置２は、各住戸１０１のメータ４を識別子（メータ番号）によって識別し、各住戸１０１のコントローラ７についても識別子（アドレス）によって識別する。さらに、管理装置２は、管理下の全住戸１０１について、住戸１０１ごとにメータ４とコントローラ７とを識別子によって対応付けたテーブルを予めメモリ（図示せず）に記憶している。そして、管理装置２は、計測情報の送信元であるメータ４に対応したコントローラ７のアドレスを宛先情報とするパケットを送信する。
【００５９】
コントローラ７は、宛先情報が自身のアドレスであるパケットを受信すると、このパケットを、自住戸１０１の住戸機６に第６通信路１６を介して送信する。これにより、住戸機６は、管理装置２からの要請情報と自住戸１０１のメータ４からの計測情報とをまとめて取得できる。
【００６０】
以上説明した本実施形態の資源管理システム１によれば、たとえば管理装置２−コントローラ７間の第５通信路１５あるいはコントローラ７−住戸機６間の第６通信路１６に輻輳などの不具合が生じても、第２の経路を使って住戸機６へ要請情報を送信できる。また、この資源管理システム１は、管理装置２−通信制御装置３間の第１通信路１１あるいは通信制御装置３−住戸機６間の構内通信網８に輻輳などの不具合が生じても、第１の経路を使って管理装置２から住戸機６へ要請情報を送信できる。したがって、この資源管理システム１は、管理装置２−住戸機６間の通信路の一部に、輻輳が生じやすい構内通信網８を用いたとしても、管理装置２からの要請情報が住戸１０１に届きやすくなる。
【００６１】
さらに、コントローラ７−住戸機６間の第６通信路１６は無線通信路からなるので、住戸１０１においてコントローラ７と住戸機６との間に特別な配線処理が不要であり、資源管理システム１の導入が容易になる。
【００６２】
（実施形態３）
本実施形態では、住戸機６は、図４に示すように管理装置２を始点としてメータ４、分電盤５、コントローラ７を経由する第１の経路と、管理装置２を始点としてメータ４、コントローラ７を経由する第２の経路とのいずれかで、要請情報および計測情報を取得する。
【００６３】
すなわち、本実施形態の資源管理システム１は、管理装置２、メータ４、分電盤５、コントローラ７、住戸機６の順にデータが伝送される第１の経路と、管理装置２、メータ４、コントローラ７、住戸機６の順にデータが伝送される第２の経路とを含んでいる。
【００６４】
まず、図４に「Ａ」で示した第１の経路（実線矢印で表す）について説明する。第１の経路においては、管理装置２は、要請情報が発生すると、この要請情報を含むパケットを、管理下の住戸１０１のメータ４に第２通信路１２を介してマルチキャスト送信する。メータ４は、管理装置２からの要請情報を含むパケットを受信すると、自身の計測部４４で生成された計測情報をこのパケットに付加し、このパケットを自住戸１０１の分電盤５に第３通信路１３を介して送信する。分電盤５は、要請情報および計測情報を含むパケットを受信すると、このパケットを自住戸１０１のコントローラ７に第８通信路１８を介して送信する。コントローラ７は、要請情報および計測情報を含むパケットを受信すると、このパケットを自住戸１０１の住戸機６に第６通信路１６を介して送信する。これにより、住戸機６は、管理装置２からの要請情報と自住戸１０１のメータ４からの計測情報とをまとめて取得できる。
【００６５】
次に、図４に「Ｂ」で示した第２の経路（破線矢印で表す）について説明する。第２の経路においては、管理装置２は、処理部２４（図１参照）で要請情報が発生すると、この要請情報を含むパケットを、管理下の住戸１０１のメータ４に第２通信路１２を介してマルチキャスト送信する。メータ４は、管理装置２からの要請情報を含むパケットを受信すると、自身の計測部４４で生成された計測情報をこのパケットに付加し、このパケットを自住戸１０１のコントローラ１７に第７通信路１７を介して送信する。コントローラ７は、要請情報および計測情報を含むパケットを受信すると、このパケットを自住戸１０１の住戸機６に第６通信路１６を介して送信する。これにより、住戸機６は、管理装置２からの要請情報と自住戸１０１のメータ４からの計測情報とをまとめて取得できる。
【００６６】
以上説明した本実施形態の資源管理システム１によれば、たとえばメータ４−分電盤５間の第３通信路１３あるいは分電盤５−コントローラ７間の第８通信路１８に輻輳などの不具合が生じても、第２の経路を使って住戸機６へ要請情報を送信できる。また、この資源管理システム１は、メータ４−コントローラ７間の第７通信路１７に輻輳などの不具合が生じても、第１の経路を使って管理装置２から住戸機６へ要請情報を送信できる。したがって、この資源管理システム１は、住戸１０１内における通信環境が比較的悪い場合でも、管理装置２からの要請情報が住戸１０１に届きやすくなる。
【００６７】
さらに、コントローラ７−住戸機６間の第６通信路１６は無線通信路からなるので、住戸１０１においてコントローラ７と住戸機６との間に特別な配線処理が不要であり、資源管理システム１の導入が容易になる。
【００６８】
また、本実施形態においては、住戸機６は、実施形態１と同様に、第１の経路で要請情報および計測情報を取得する場合、分電盤５からの個別計測情報を、要請情報および計測情報と併せて取得して表示器６４に表示するように構成されていてもよい。これにより、住戸機６は、要請情報と併せて、住戸１０１全体で消費した電力量を表す計測情報だけでなく、分岐系統ごとの電力量を個別に表す個別計測情報を表示するので、住戸１０１の家人に対して、住戸１０１での電力の消費状況をより細かく通知できる。しかも、分電盤５は、パケットを転送する際に個別計測情報を付加するので、住戸機６は、要請情報と計測情報と個別計測情報とをまとめて取得できる。
【００６９】
ところで、上記実施形態１〜３において、第１の経路と第２の経路とには予め優先順位が決められていることが望ましい。この場合、管理装置２は、経路切替部２５にて、優先順位が高い方の経路での要請情報および計測情報の送信に失敗すると、優先順が低い方の経路で要請情報および計測情報を送信するように、要請情報および計測情報の伝送に用いる経路を切り替える。具体的には、管理装置２は、第１の経路および第２の経路を優先順位と共に予めメモリに記憶しており、経路切替部２５は、この優先順位に従ってパケットの伝送経路を選択する。住戸機６は、要請情報および計測情報を正常に取得した場合に確認信号を管理装置２に送信するように構成されている。管理装置２は、要請情報を送信後、所定時間内に確認信号を受信できなければ、優先順位の低い経路に切り替えて再送を行う。
【００７０】
たとえば第１の経路の優先順位が第２の経路よりも高く設定されている場合、管理装置２は、まず第１の経路で要請情報（および計測情報）を住戸機６に送信する。その後、管理装置２は、所定時間内に住戸機６からの確認信号を受信すると処理を終了し、確認信号を受信できなければ、経路切替部２５にて伝送経路を第２の経路に切り替えて要請情報（および計測情報）を住戸機６に再送する。なお、第１の経路の優先順位は第２の経路よりも低く設定されていてもよい。
【００７１】
以上説明した構成によれば、管理装置２は、予め決められた優先順位に従って第１の経路あるいは第２の経路を選択し、要請情報および計測情報を住戸機６に送信することができる。したがって、管理装置２は、各通信路の通信環境を踏まえて優先的に使用する経路を決めておくことで、通信路を効率的に使用して要請情報および計測情報を住戸機６に送ることができる。
【００７２】
なお、第１の経路と第２の経路とを切り替える主体は、住戸機６へ送信する情報の起点から第１の経路および第２の経路の分岐点までの間に存在する装置であればよく、管理装置２に限らない。たとえば、実施形態２（図３参照）においては起点となるメータ４が第１の経路と第２の経路とを切り替えてもよく、実施形態３（図４参照）においては分岐点となるメータ４が第１の経路と第２の経路とを切り替えてもよい。また、第２通信路１２が親機を含んでいる場合には、親機が第１の経路と第２の経路とを切り替えてもよい。
【符号の説明】
【００７３】
１  資源管理システム
２  管理装置
２５  経路切替部
３  通信制御装置
４  メータ
５  分電盤
５４  計測ユニット（計測器）
６  住戸機（住宅情報盤）
７  コントローラ
８  構内通信網
９  機器
１００  集合住宅
１０１  住戸
１１  第１通信路
１２  第２通信路
１３  第３通信路
１４  第４通信路
１５  第５通信路
１５１  公衆網
１６  第６通信路
１７  第７通信路
１８  第８通信路
【図１】
2014150456.tif 000003
【図２】
2014150456.tif 000004
【図３】
2014150456.tif 000005
【図４】
2014150456.tif 000006